(57)【要約】【課題】  予めユーザー登録やユーザーごとの設定が行えない画像形成装置の場合でも、スキャンデータの送信時に不具合が発生したときにユーザー所望の代替送付先へスキャンデータを送信することを可能にする。【解決手段】  不特定のユーザーが使用する画像形成装置２と、そのユーザーが所持するモバイル端末装置１とを備えるシステムにおいて、モバイル端末装置１は、無線通信装置１１で、画像形成装置２へ、スキャンデータの送信要求とともに、代替送付先情報を送信し、画像形成装置２は、スキャンデータの送信要求を受信すると、スキャンデータを生成し、生成したスキャンデータの、モバイル端末装置１への送信を試み、生成したスキャンデータの、モバイル端末装置１への送信が成功しない場合、代替送付先情報により指定された代替送付先へスキャンデータを送信する。【選択図】  図１
2015088965.tif 000002
【特許請求の範囲】
【請求項１】
不特定のユーザーが使用する画像形成装置と、
前記ユーザーが所持するモバイル端末装置とを備え、
前記モバイル端末装置は、無線通信装置で、前記画像形成装置へ、スキャンデータの送信要求とともに、代替送付先情報を送信し、
前記画像形成装置は、前記スキャンデータの送信要求を受信すると、前記スキャンデータを生成し、生成した前記スキャンデータの、前記モバイル端末装置への送信を試み、生成した前記スキャンデータの、前記モバイル端末装置への送信が成功しない場合、前記代替送付先情報により指定された代替送付先へ前記スキャンデータを送信すること、
を特徴とする画像形成システム。
【請求項２】
前記モバイル端末装置は、無線通信装置で、前記画像形成装置へ、前記代替送付先情報とともに、前記モバイル端末装置内の記憶装置の残り容量の情報を送信し、
前記画像形成装置は、前記残り容量の情報に応じて前記スキャンデータのデータ量を調節すること、
を特徴とする請求項１記載の画像形成システム。
【請求項３】
前記モバイル端末装置は、無線通信装置で、前記画像形成装置へ、前記代替送付先情報とともに、前記モバイル端末装置内の電池の電力残量の情報を送信し、
前記画像形成装置は、前記電力残量の情報に応じて前記スキャンデータのデータ量を調節すること、
を特徴とする請求項１記載の画像形成システム。
【請求項４】
前記画像形成装置は、前記モバイル端末装置内の記憶装置の容量不足に起因して、前記スキャンデータの、前記モバイル端末装置への送信が、所定時間内または所定試行回数内に成功しない場合、操作パネルに、前記スキャンデータの、前記モバイル端末装置への送信を再度試みるか否かの入力を促すメッセージを表示し、前記操作パネルに対して、前記スキャンデータの、前記モバイル端末装置への送信を再度試みるための入力が行われた時点で、前記スキャンデータの、前記モバイル端末装置への送信を再度試みることを特徴とする請求項１から請求項３のうちのいずれか１項記載の画像形成システム。
【請求項５】
モバイル端末装置からスキャンデータの送信要求を受信する通信装置と、
原稿画像を読み取りスキャンデータを生成する画像読取装置と、
前記送信要求が受信されると、前記画像読取装置に前記スキャンデータを生成させ、生成した前記スキャンデータの、前記モバイル端末装置への送信を試み、生成した前記スキャンデータの、前記モバイル端末装置への送信が成功しない場合、前記代替送付先情報により指定された代替送付先へ前記スキャンデータを送信するよう前記通信装置を制御するコントローラーと、
を備えることを特徴とする画像形成装置。
【請求項６】
無線通信装置を有するモバイル端末装置に内蔵されるコンピューターに、
前記無線通信装置で、画像形成装置へ、スキャンデータの送信要求をする際に、前記画像形成装置による前記スキャンデータの、前記モバイル端末装置への送信が成功しない場合の代替送付先を指定する代替送付先情報を送信するステップ
を実行させることを特徴とするプログラム。
【発明の詳細な説明】
【技術分野】
【０００１】
本発明は、画像形成システム、画像形成装置、およびプログラムに関するものである。
【背景技術】
【０００２】
ある画像処理装置では、スキャンデータ（読み取り画像データ）を所定の送信方法で送信し、その送信が通信上の不具合により正常に行われなかった場合に、予め登録されている他の送信先へスキャンデータを再送信している（例えば特許文献１参照）。
【先行技術文献】
【特許文献】
【０００３】
【特許文献１】特開２０００−０３２１８４号公報
【発明の概要】
【発明が解決しようとする課題】
【０００４】
しかしながら、例えばコンビニエンスストアに設置されているような、不特定のユーザーが使用する画像形成装置の場合、予めユーザー登録やユーザーごとの設定を行うことができないため、上述のように、スキャンデータの送信時に不具合が発生したときに、ユーザー所望の代替送付先へスキャンデータを送信することは困難である。
【０００５】
本発明は、上記の問題に鑑みてなされたものであり、予めユーザー登録やユーザーごとの設定が行えない画像形成装置の場合でも、スキャンデータの送信時に不具合が発生したときにユーザー所望の代替送付先へスキャンデータを送信することを可能にする画像形成システム等を得ることを目的とする。
【課題を解決するための手段】
【０００６】
本発明に係る画像形成システムは、不特定のユーザーが使用する画像形成装置と、前記ユーザーが所持するモバイル端末装置とを備える。前記モバイル端末装置は、無線通信装置で、前記画像形成装置へ、スキャンデータの送信要求とともに、代替送付先情報を送信する。そして、前記画像形成装置は、前記スキャンデータの送信要求を受信すると、前記スキャンデータを生成し、生成した前記スキャンデータの、前記モバイル端末装置への送信を試み、生成した前記スキャンデータの、前記モバイル端末装置への送信が成功しない場合、前記代替送付先情報により指定された代替送付先へ前記スキャンデータを送信する。
【０００７】
本発明に係る画像形成装置は、モバイル端末装置からスキャンデータの送信要求を受信する通信装置と、原稿画像を読み取りスキャンデータを生成する画像読取装置と、前記送信要求が受信されると、前記画像読取装置に前記スキャンデータを生成させ、生成した前記スキャンデータの、前記モバイル端末装置への送信を試み、生成した前記スキャンデータの、前記モバイル端末装置への送信が成功しない場合、前記代替送付先情報により指定された代替送付先へ前記スキャンデータを送信するコントローラーとを備える。
【０００８】
本発明に係るプログラムは、無線通信装置を有するモバイル端末装置に内蔵されるコンピューターに、前記無線通信装置で、画像形成装置へ、スキャンデータの送信要求をする際に、前記画像形成装置による前記スキャンデータの、前記モバイル端末装置への送信が成功しない場合の代替送付先を指定する代替送付先情報を送信するステップを実行させる。
【発明の効果】
【０００９】
本発明によれば、予めユーザー登録やユーザーごとの設定が行えない画像形成装置の場合でも、スキャンデータの送信時に不具合が発生したときにユーザー所望の代替送付先へスキャンデータを送信することが可能となる。
【図面の簡単な説明】
【００１０】
【図１】図１は、本発明の実施の形態に係る画像形成システムの構成を示すブロック図である。
【図２】図２は、図１における画像形成装置の動作を説明するフローチャートである。
【発明を実施するための形態】
【００１１】
以下、図に基づいて本発明の実施の形態を説明する。
【００１２】
図１は、本発明の実施の形態に係る画像形成システムの構成を示すブロック図である。
【００１３】
図１に示すシステムは、あるユーザーが所持するモバイル端末装置１と、不特定のユーザーが使用する画像形成装置２とを備える。
【００１４】
モバイル端末装置１は、例えばスマートフォンなどのポータブルデバイスであって、無線通信装置１１、記憶装置１２、演算処理装置１３などを有する。
【００１５】
無線通信装置１１は、無線ＬＡＮ（Local Area Network）、ブルートゥース（登録商標）などの所定の無線通信規格でデータ通信を行う内部装置である。
【００１６】
記憶装置１２は、フラッシュメモリー、ハードディスクなどの不揮発性の記憶装置である。記憶装置１２には、プログラム２１などが記憶されている。
【００１７】
演算処理装置１３は、ＣＰＵ（Central Processing Unit）、ＲＡＭ（Random Access Memory）、ＲＯＭ（Read Only Memory）などを有するコンピューターであり、プログラム２１をＲＡＭにロードしＣＰＵで実行することで、アプリケーション２２を実現する。
【００１８】
アプリケーション２２は、無線通信装置１１で、画像形成装置２へ、スキャンデータの送信要求を送信するとともに、スキャンデータの送信要求をする際に、代替送付先情報を送信する処理部である。代替送付先情報は、画像形成装置２によるスキャンデータの、モバイル端末装置１への送信が成功しない場合の代替送付先を指定する情報であって、予めユーザーによりアプリケーション２２に対して設定される。
【００１９】
一方、画像形成装置２は、コンビニエンスストアなどに設置され不特定のユーザーに使用される複合機などであって、印刷装置３１、画像読取装置３２、操作パネル３３、無線通信装置３４、有線通信装置３５、およびコントローラー３６を有する。
【００２０】
印刷装置３１は、印刷画像データに基づいて１ページずつ画像を印刷用紙に電子写真方式で印刷する内部装置である。
【００２１】
画像読取装置３２は、原稿から原稿画像を読み取り、その画像データ（つまり、スキャンデータ）を生成する内部装置である。
【００２２】
操作パネル３３は、画像形成装置２の筐体表面に配置され、ユーザーに対して各種情報を表示する表示装置と、ユーザー操作を受け付ける入力装置とを有する。表示装置としては例えば液晶ディスプレイが使用される。入力装置としては、キースイッチ、タッチパネルなどが使用される。
【００２３】
無線通信装置３４は、無線ＬＡＮ、ブルートゥース（登録商標）などの所定の無線通信規格でデータ通信を行う内部装置である。有線通信装置３５は、有線ＬＡＮなどのネットワークに接続され、そのネットワーク２に接続された他の装置とデータ通信を行う回路である。画像形成装置２がモバイル端末装置１と通信を行う場合、画像形成装置２がモバイル端末装置１と無線通信装置３４で直接、通信を行うようにしてもよいし、図示せぬ中継機器を介して、無線通信装置３４または有線通信装置３５で通信を行うようにしてもよい。
【００２４】
また、コントローラー３６は、コンピューター、ＡＳＩＣ（Application Specific Integrated Circuit）などを有し、画像形成装置１内の内部装置を制御する。
【００２５】
コントローラー３６は、モバイル端末装置１から無線通信装置３４または有線通信装置３５でスキャンデータの送信要求を受信するとともに代替送付先情報を受信し、その送信要求が受信されると、画像読取装置３２にスキャンデータを生成させ、生成したスキャンデータの、モバイル端末装置１への送信を試み、生成したスキャンデータの、モバイル端末装置１への送信が成功しない場合、代替送付先情報により指定された代替送付先へスキャンデータを送信する。
【００２６】
代替送付先情報は、ユーザーにより指定される電子メールアドレス、図示せぬサーバー装置のＵＲＬ（Uniform Resource Locator）またはＩＰアドレスなどである。
【００２７】
代替送付先情報が電子メールアドレスである場合、コントローラー３６は、無線通信装置３４または有線通信装置３５により、ＳＭＴＰ（Simple Mail Transfer Protocol）などのプロトコルでデータファイルとしてスキャンデータを送信する。
【００２８】
代替送付先情報がＵＲＬ（Uniform Resource Locator）またはＩＰアドレスなどである場合、コントローラー３６は、無線通信装置３４または有線通信装置３５により、ＨＴＴＰ（Hypertext Transfer Protocol）、ＦＴＰ（File Transfer Protocol）などのプロトコルでスキャンデータをデータファイルとして送信する。
【００２９】
次に、上記システムにおける各装置の動作について説明する。図２は、図１における画像形成装置２の動作を説明するフローチャートである。
【００３０】
まず、モバイル端末装置１のアプリケーション２２は、ユーザー操作に従って、無線通信装置１１で、画像形成装置２との接続を確立し、スキャンデータの送信要求および代替送付先情報を画像形成装置２へ送信する。画像形成装置２では、コントローラー３６が、無線通信装置３４または有線通信装置３５で、スキャンデータの送信要求を受信するとともに（ステップＳ１）、代替送付先情報を受信する（ステップＳ２）。
【００３１】
そして、画像形成装置２では、コントローラー３６が、無線通信装置３４または有線通信装置３５でスキャンデータの送信要求を受信すると、画像読取装置３２を制御して、事前にセットされた原稿の画像を１頁ずつ読み取らせスキャンデータを生成させる（ステップＳ３）。生成されたスキャンデータは、図示せぬメモリーに記憶される。
【００３２】
スキャンデータが生成されると、コントローラー３６は、無線通信装置３４または有線通信装置３５で、モバイル端末装置１への、そのスキャンデータの送信を開始する（ステップＳ４）。
【００３３】
画像形成装置２からモバイル端末装置１へのスキャンデータの送信に成功した場合（ステップＳ５）、コントローラー３６は、スキャンデータをメモリーから消去し（ステップＳ６）、処理を終了する。
【００３４】
一方、モバイル端末装置１の無線通信が不通となったり、モバイル端末装置１の電池が切れたり、モバイル端末装置１の記憶装置１２の残り容量が無くなったりした場合、モバイル端末装置１が、スキャンデータを受信できなくなり、画像形成装置２からモバイル端末装置１へのスキャンデータの送信に失敗する。この場合（ステップＳ５）、コントローラー３６は、スキャンデータの送信要求とともに受信した代替送付先情報により指定された代替送付先へ、そのスキャンデータを送信する（ステップＳ７）。このとき、複数頁のスキャンデータが存在し、途中で送信に失敗した場合、すべての頁のスキャンデータを代替送付先へ送信する。その後、コントローラー３６は、スキャンデータをメモリーから消去し（ステップＳ６）、処理を終了する。
【００３５】
以上のように、上記実施の形態によれば、不特定のユーザーが使用する画像形成装置２と、そのユーザーが所持するモバイル端末装置１とを備えるシステムにおいて、モバイル端末装置１は、無線通信装置１１で、画像形成装置２へ、スキャンデータの送信要求とともに、代替送付先情報を送信し、画像形成装置２は、スキャンデータの送信要求を受信すると、スキャンデータを生成し、生成したスキャンデータの、モバイル端末装置１への送信を試み、生成したスキャンデータの、モバイル端末装置１への送信が成功しない場合、代替送付先情報により指定された代替送付先へスキャンデータを送信する。
【００３６】
これにより、予めユーザー登録やユーザーごとの設定が行えない画像形成装置２の場合でも、スキャンデータの送信時に不具合が発生したときに代替送付先へスキャンデータを送信することができる。つまり、そのような不具合が発生しても、スキャンデータをユーザーに渡すことができる。
【００３７】
なお、上述の実施の形態は、本発明の好適な例であるが、本発明は、これらに限定されるものではなく、本発明の要旨を逸脱しない範囲において、種々の変形、変更が可能である。
【００３８】
例えば、上記実施の形態において、モバイル端末装置１のアプリケーション２２は、無線通信装置１１で、画像形成装置２へ、代替送付先情報とともに、モバイル端末装置１内の記憶装置１２の残り容量の情報を送信し、画像形成装置２のコントローラー３６は、その残り容量の情報に応じてスキャンデータのデータ量を調節するようにしてもよい。その場合、コントローラー３６は、例えば、スキャンデータの解像度や圧縮率を調節したりする。つまり、その場合、記憶装置１２の残り容量より小さいサイズでスキャンデータが生成される。
【００３９】
また、上記実施の形態において、モバイル端末装置１のアプリケーション２２は、無線通信装置１１で、画像形成装置２へ、代替送付先情報とともに、モバイル端末装置１内の電池の電力残量の情報を送信し、画像形成装置２のコントローラー３６は、その電力残量の情報に応じてスキャンデータのデータ量を調節するようにしてもよい。つまり、その場合、モバイル端末装置１が電池切れとなる前に送信完了できるサイズでスキャンデータが生成される。
【００４０】
さらに、上記実施の形態において、画像形成装置２のコントローラー３６は、モバイル端末装置１内の記憶装置１２の容量不足に起因して、スキャンデータの、モバイル端末装置１への送信が、所定時間内または所定試行回数内に成功しない場合、操作パネル３３に、スキャンデータの、モバイル端末装置１への送信を再度試みるか否かの入力を促すメッセージを表示し、操作パネル３３に対して、スキャンデータの、モバイル端末装置１への送信を再度試みるための入力が行われた時点で、スキャンデータの、モバイル端末装置１への送信を再度試みるようにしてもよい。このようにすることで、メッセージを見たユーザーがモバイル端末装置１を操作し記憶装置１２内の不要なファイルなどを削除し、容量不足を解消することができる。なお、このメッセージの表示は所定時間経過後に終了するようにしてもよい。
【００４１】
さらに、上記実施の形態において、代替送付先情報で複数の代替送付先を優先順位付きで指定するようにし、優先順位の順番で代替送付先へ、送信に成功するまで順番にスキャンデータの送信を試みるようにしてもよい。
【００４２】
さらに、上記実施の形態において、モバイル端末装置１は、無線通信装置１１の電波状態が悪い場合、１頁ずつ分割してスキャンデータの送信要求を送信するようにしてもよい。
【００４３】
さらに、上記実施の形態において、モバイル端末装置１は、複数頁のスキャンデータの途中まで受信できた場合、受信できた頁までのスキャンデータを、１つのファイルとしてもよい。その場合、モバイル端末装置１が、ファイル名の末尾に、途中までのスキャンデータである旨を示す文字列などを挿入するようにしてもよい。また、モバイル端末装置１が、そのファイルの最終頁として、途中までのスキャンデータである旨を示す頁を挿入するようにしてもよい。
【００４４】
なお、上記実施の形態において、無線通信装置１１がモバイル端末装置１に含まれる構成について説明したが、これに限らず、無線通信装置１１がモバイル端末装置１に含まれることなく外付けされる構成であってもよい。
【産業上の利用可能性】
【００４５】
本発明は、例えば、コンビニエンスストアに設置されている画像形成装置に適用可能である。
【符号の説明】
【００４６】
１  モバイル端末装置
２  画像形成装置
１１  無線通信装置
１３  演算処理装置（コンピューターの一例）
２１  プログラム
３２  画像読取装置
３４  無線通信装置（通信装置の一例）
３５  有線通信装置（通信装置の一例）
３６  コントローラー
【図１】
2015088965.tif 000003
【図２】
2015088965.tif 000004